(57)【特許請求の範囲】
【請求項１】
操作者により携帯され、放射線を計測する計測部、操作者が必要なデータを入力あるいは選択する入力部、データを記憶する記憶部、記憶部に記憶された情報を表示する表示部、データを送信及び受信する送受信部を備え、
前記表示部には、操作者が操作する位置決めボタンと、対象設備内の撮像図を得るための撮像ボタンと、放射線の測定を操作する測定値記録ボタンとを備え、
前記記憶部には、前記入力部により指定された対象設備内の場所において前記位置決めボタンを操作したときの場所、かつその場所で前記測定値記録ボタンを操作した時に前記計測部により計測した放射線と、並びにその場所で前記撮像ボタンを操作した時の対象設備の撮像図が対応付けて記憶され、
さらに前記表示部は、操作者が前記位置決めボタンを操作した位置と、測定値記録ボタンを操作したときの放射線の情報が表示された前記対象設備の図面と、前記撮像図とを表示しているとともに、表示された前記位置、前記放射線の情報並びに前記撮像図は、前記対応付けて記憶された前記位置、前記放射線の情報並びに前記撮像図とされていることを特徴とする放射線計測装置。
【請求項２】
請求項１に記載の放射線計測装置であって、
前記計測部、前記入力部、前記記憶部、前記表示部、前記送受信部は、操作者が携帯する携帯端末内に配置されていることを特徴とする放射線計測装置。
【請求項３】
請求項１または請求項２に記載の放射線計測装置であって、
前記記憶部の場所と放射線の情報は、時間情報と共に一体に記憶されていることを特徴とする放射線計測装置。
【請求項４】
請求項１から請求項３のいずれか１項に記載の放射線計測装置であって、
前記入力部から測定する場所、測定条件、前記記憶部へのデータ移動の指示を与えることを特徴とする放射線計測装置。
【請求項５】
操作者により携帯され、放射線を計測する計測部と、情報を表示する表示部を備え、前記表示部には、指定された対象設備内の場所、条件並びに対象設備の図面、対象設備の撮像図が表示され、さらに操作者が操作する位置決めボタンと、前記撮像図を得るための撮像ボタンと放射線の測定を操作する測定値記録ボタンとを備えており、前記指定された対象設備内の場所において前記位置決めボタンと撮像ボタンと測定値記録ボタンを操作し、
さらに前記表示部は、操作者が前記位置決めボタンを操作した位置と、測定値記録ボタンを操作したときの放射線の情報が表示された前記対象設備の図面と、前記撮像図とを表示しているとともに、表示された前記位置、前記放射線の情報並びに前記撮像図は、前記指定された対象設備内の場所において前記位置決めボタンと撮像ボタンと測定値記録ボタンを操作したときの前記位置、前記放射線の情報並びに前記撮像図であることを特徴とする放射線計測装置。
【請求項６】
放射線を計測する計測部と、情報を表示する表示部と、入力部とを備えて、操作者により携帯される携帯端末を用いて、前記表示部に計測を実行すべき対象設備内の場所、条件を表示し、かつ計測を実行すべき対象設備内の場所において放射線の情報と対象設備のカメラ画像とを得るためのボタンを操作者により操作させ、前記表示部には、前記計測を実行すべき対象設備内の場所とこの場所において取得した放射線の情報と対象設備のカメラ画像の情報を用いて、前記計測を実行すべき対象設備内の場所と、この場所において取得した放射線の情報との情報が表示された前記対象設備の図面と、この場所において取得した放射線の情報と対象設備のカメラ画像を表示していることを特徴とする放射線計測方法。
【発明の詳細な説明】
【技術分野】
【０００１】
本発明は、放射線を計測する放射線計測装置及び放射線計測方法に関する。
【背景技術】
【０００２】
原子力発電所などの放射線管理区域では、放射線業務従事者が受ける被曝線量を管理するため、放射線計測装置を用いて放射線量を測定し、測定時刻や測定場所などその他の情報とともに記録用紙に放射線測定結果を記録している。この放射線計測装置と記録用紙は分離されており、放射線量測定者は、それぞれを所持して放射線管理区域に立ち入る。放射線量の測定結果は、放射線管理区域内の作業員に正確かつ迅速に伝える必要がある。
【０００３】
このための手段として特許文献１には、電子式被曝線量計の使用者の位置と被曝線量を逐次収集して、ＰＨＳ回線を用いた通信手段により、監視装置に表示させるシステムが開示されている。具体的には、特許文献１の放射線作業管理システムによれば、「放射線検出器とその計数回路とＰＨＳ送受信アンテナを備えた電子式被曝線量計により検出した被曝線量値を、放射線作業場所に複数設置された送受信基地局から外部の管理基地局を介した中央管理部署との双方向通信によって受信して前記電子式被曝線量計の使用者の位置を算出し、該使用者の位置と被曝線量を逐次収集して表示する監視装置を備える。」ように構成されている。
【先行技術文献】
【特許文献】
【０００４】
【特許文献１】特開２００２−３６５３６６号公報
【発明の概要】
【発明が解決しようとする課題】
【０００５】
放射線管理区域では、作業者の受ける被曝線量を低減させるために、作業者自身が作業場所の線量率を知り、高線量率箇所への不要な接近を避けたり、低線量率箇所での移動をしたりすることが必要である。これまでは、放射線管理員が計測した線量率を作業場所に掲示したり、計測した線量率を翌日の作業前打ち合わせで作業員に周知したり、線量率をリアルタイムに表示させる計測器を作業場所近傍に設置したりする情報により作業場所の線量率を知ることができた。
【０００６】
しかしこれらの方法では、作業員の実際の動線を考慮した線量率の計測ができず、また作業者が知る線量率情報は過去の計測値であり、作業者の現在の作業位置および現在の線量率を同時に知ることができない、という課題があった。
【０００７】
これらの課題に関して、特許文献１の放射線作業管理システムによれば、使用者の位置と被曝線量を逐次収集して表示することが可能であるが、この表示箇所、情報集約箇所は、放射線管理区域から遠く離れた中央管理部署において把握されたものであり、今現在、放射線管理区域にいる作業者個々人の安全確保に資する情報として利用するには、配慮に欠けるシステムである。
【０００８】
以上のことから本発明は、作業者の作業位置および線量率を同時に知ることができる放射線計測装置及び放射線計測方法を提供することを目的とする。
【課題を解決するための手段】
【０００９】
上記目的を達成するために、本発明の放射線計測装置は、操作者により携帯され、放射線を計測する計測部、操作者が必要なデータを入力あるいは選択する入力部、データを記憶する記憶部、記憶部に記憶された情報を表示する表示部、データを送信及び受信する送受信部７を備え、前記入力部により指定された場所、条件において前記計測部により放射線を計測し、前記記憶部に対象設備の図面の情報と共に、当該場所、条件下での放射線の情報が一体に記憶され、前記表示部に表示されることを特徴とする。
【００１０】
また本発明の放射線計測方法は、放射線を計測する計測部と、情報を表示する表示部と、入力部とを備えて、操作者により携帯される携帯端末を用いて、前記表示部に表示された対象設備の図面上で場所を特定して放射線を計測し、前記対象設備の図面上に場所と当該場所での放射線を表示することを特徴とする。
【発明の効果】
【００１１】
本発明によれば、計測位置および線量率を同時に知ることが可能となる。
【図面の簡単な説明】
【００１２】
【図１】本発明の好適な一実施例である放射線計測装置の概略機能を示す構成図。
【図２】放射線計測装置の外観を示す斜視図。
【図３】放射線計測装置に備えられる表示部の表示例を示す図。
【図４】放射線計測装置を用いた放射線計測の流れを示すフローチャート。
【図５】履歴情報の表示例を示す図。
【図６】本発明の好適な一実施例である他の放射線計測装置の概略機能を示す構成図。
【図７】放射線計測装置とコンピュータを有線または無線で接続した放射線管理システムを示す図。
【図８】本発明に係る放射線計測装置１の機能の概略をまとめた図。
【発明を実施するための形態】
【００１３】
以下、本発明の実施例を、図面を用いて説明する。
【実施例１】
【００１４】
本発明の好適な一実施例である放射線計測装置について、図１乃至図４を用いて説明する。図１に示す放射線計測装置１は、原子力発電所などの放射線管理区域に立ち入って作業を行う作業員が携帯する携帯端末として構成されている。
【００１５】
放射線計測装置１は、放射線を計測する計測部２、操作者（作業者）が必要なデータを入力及び選択する入力部３、画像を撮像する撮像部４、データを記憶する記憶部（メモリ）５、記憶部５に記憶された情報を表示する表示部（表示画面）６、データを送信及び受信する送受信部７を備える。計測部２、入力部３及び撮像部４は記憶部５に接続されている。記憶部５は、表示部６及び送受信部７に接続されている。記憶部５には、放射線計測する場所の図面（例えば、原子炉建屋の内部構成を示す構成図）が予め記憶されている。本実施例では、原子炉建屋内で放射線計測をする例を用いて説明する。
【００１６】
放射線計測装置１では、放射線を計測する対象物の構成（原子炉建屋内の構成等）が更新されて構成に変更が生じた場合、更新された図面の情報が外部から送信されると、図面情報を送受信部７が受信し、記憶部５に記憶する。また、記憶部５は、計測部２で計測された放射線の計測値の情報、操作者が入力部３から入力した情報、撮像部４で撮影された画像情報をそれぞれ受け取り、記憶する。また記憶部５に記憶された情報は、適宜外部に送信されて中央管理部署などでの管理などに利用される。
【００１７】
図２は、放射線計測装置１の外観を示す斜視図である。図２に示すように、放射線計測装置１は、内部に計測部２の放射線検出器を備え、外部に撮像部４と表示部６を備える。本実施例の放射線計測装置１は、操作者が入力すべき事項が表示部６に表示され、その表示に沿って操作者が入力することによって必要な事項が入力される。つまり、表示部６が入力部としての機能を有する。
【００１８】
図３は、放射線計測装置１の表示部６に表示される表示例を示す図である。図３に示すように、表示部６には、大別すると時刻情報表示エリアＡ１、場所関係情報表示エリアＡ２、線量率関係表示エリアＡ３、撮影関係情報示エリアＡ４が形成されている。これらの各エリアには、１つまたは複数の表示枠が設けられており、これらの表示枠には記憶部５に記憶された適宜の情報が表示され、あるいは作業者の操作により各種入力を与え、記憶部５に記憶することが可能である。各種入力にはボタン機能を含む場合がある。
【００１９】
このうち時刻情報表示エリアＡ１には、現在時刻表示枠９が設けられている。なお現在時刻表示枠９には、現在時刻の表示以外に任意時刻の設定が作業者入力により可能であり、設定された任意時刻の情報を得て、後述する線量率情報について当該時刻の線量率情報を逆引きの形で表示させることも可能である。
【００２０】
場所関係情報表示エリアＡ２には、測定場所表示枠１０、図面表示枠１１、測定区分表示枠１５、位置決めボタン表示枠１６が形成されている。このうち測定場所表示枠１０には測定場所が表示されている。この表示場所は、作業者の操作により任意場所の選択が可能であり、あるいは記憶部５に記憶された位置の情報を反映して、現在位置を反映させた場所表示とすることができる。図示の例では選択された場所として、「４号機の原子炉建屋２階」と表示がされている。なお以下の説明ではこの場所は現在位置を含むものとして説明する。
【００２１】
測定区分表示枠１５には、測定区分として機器表面の線量率測定を行うのか、空間の線量率測定を行うのかが、選択可能に表示されている。位置決めボタン表示枠１６には、線量率測定を行う測定位置（現在位置）を決定したときに押す位置決め押しボタンが表示されている。位置決め押しボタンの操作により、位置の情報が取り込まれる。なお線量測定は、位置と無関係に実行されていてもよく、位置決め押しボタンの操作と同時にその場所での線量率測定が開始されるものであってもよい。なお、実施例の説明においては、測定区分表示枠１５、位置決めボタン表示枠１６を、場所関係情報表示エリアＡ２に分類して説明を行っているが、これらは線量率関係表示エリアＡ３に属するものとされていてもよい。
【００２２】
図面表示枠１１には、測定場所表示枠１０で選択した「４号機の原子炉建屋２階」の機器などの配置構成を示す図面が表示される。測定場所表示枠１０で選択する場所が変更されれば、図面表示枠１１に標示される表示図面も対応して変更される。また図面表示枠１１には、操作者による押しボタンの操作により特定された当該場所（現在位置）が、図示の例では星印として図面上に表示される。また線量率測定結果の数値が、当該場所（現在位置）を示す星印近傍に数値表示される。
【００２３】
線量率関係表示エリアＡ３には、線量率表示枠１２と、測定値記録ボタン表示枠１４が形成されている。線量率表示枠１２には、測定した線量率がその単位と共に表示される。測定した線量率は、数値安定化後に隣接する測定値記録ボタン表示枠１４を操作者が操作することにより、記憶部５に記憶される。記憶部５での記憶に際して、関連する情報である場所、時刻との紐付けがされた情報として記憶されることは言うまでもない。
【００２４】
撮影関係情報示エリアＡ４には、撮像図表示枠１７と撮影ボタン表示枠１８が形成されている。操作者が撮影ボタン表示枠１８の撮影ボタンを押した時の撮像が、撮像図表示枠１７に画像表示される。なお、撮影ボタン表示枠１８と位置決め押しボタン表示枠１６は一体に構成されて、線量率の測定と当該場所撮像が同一条件のもとに実行されるものであってもよい。また画像について、画像の当該撮影場所近傍に測定した線量率の数値を概略場所と共に重ね合せ表示されるのがよい。
【００２５】
以上述べた図３の表示画面によれば、要するに図面あるいは画像などの場所の情報に、線量率測定を行った当該場所（現在位置）と測定結果の数値情報が重ね合せ表示されたものである。
【００２６】
図３に表示された各種の情報として、時刻、場所、線量率の情報が互いに紐づけられて記憶されることは先にも述べたが、この結果線量率の情報はこれらに関連付けされた履歴情報として保持されることになる。
【００２７】
なお、上記図３の表示枠を入力部３に属する入力機能という観点から整理すると、測定場所表示枠１０、測定区分表示枠１５、位置決めボタン表示枠１６、撮影ボタン表示枠１８、測定値記録ボタン表示枠１４がこれに該当するものということができる。
【００２８】
次に、放射線計測装置１を用いた放射線の計測方法の流れについて、図４を用いて説明する。最初の処理ステップＳ１では、操作者が装置電源をＯＮにすると、計測部２が線量率測定を開始し、表示部６の線量率表示枠１２に線量率を表示する。あわせて、撮像部４が撮像を開始する。なおこの段階は、線量率測定あるいは撮像の機能が機能開始したというにとどまり、測定場所が特定されて計測条件が整った場面での線量率測定あるいは撮像結果を表示したというものではない。
【００２９】
その後処理ステップＳ２において、操作者が「原子力発電所の号機、建屋、階」を表示部６の測定場所表示枠１０で選択し、測定場所を決定すると、表示部６の図面表示枠１１に測定場所の図面が表示される。
【００３０】
処理ステップＳ３では、操作者が表示部６の位置決めボタン表示枠１６を操作し測定位置となる箇所を押下し、測定位置を決定すると、表示部６の図面表示枠１１に表示された図面上に測定位置１２が表示される。
【００３１】
線量率測定箇所は、機器や配管の表面であるか、または機器や配管の表面ではない空間であるか、を記録する必要があるため、処理ステップＳ４では、操作者が表示部６の測定区分表示枠１５において、測定区分が表面か空間かを選択し、測定区分を決定する。
【００３２】
処理ステップＳ５では、その後に操作者が、表示部６の測定値記録ボタン表示枠１４の測定ボタンを押下すると、計測部２が計測している線量率を記録する。
【００３３】
処理ステップＳ６では、撮像図の記録が必要な場合、表示部６の図面表示枠１１に表示されている図面上で撮像箇所の位置を選択し、その後撮影ボタン表示枠１８において撮影ボタンを押下すると、撮像図が線量率とともに記録される。
【００３４】
最後に測定を終了する場合は装置電源をＯＦＦにする（処理ステップ８）。測定を継続する場合、測定場所を変更する場合には、処理ステップＳ２の手順に図面の選択を実施し、測定場所を変更しない場合は、処理ステップＳ３にて測定位置を決定した上で、測定を継続する（処理ステップＳ９）。
【００３５】
本実施例の放射線計測装置によれば、以下の効果を得ることができる。
（１）本実施例の放射線計測装置は、計測部２と表示部６を備えるため、計測位置における現在の計測位置および現在の線量率を同時に知ることができる。
（２）本実施例の放射線計測装置は、表示部６に表示される図面上に計測箇所の線量率が表示されるため、作業者が現場にいながら表示部６を見ることで現在位置と比較して高線量率または低線量率の場所を確認することができ、高線量率箇所への不要な接近を避けたり、低線量率箇所での移動をしたりすることで作業者の受ける被ばく線量を低減することができる。
（３）本実施例の放射線計測装置は、計測部２と記憶部６を備えるため、放射線を計測する時間を短縮でき、計測したデータを正確に記録することができる。
（４）本実施例の放射線計測装置は、撮像部４を備えるため、放射線計測時点の計測場所の状況を正確に記録することができる。
（５）本実施例の放射線計測装置は、表示部６が入力部３の機能を有しており、放射線計測装置の外面に凹凸が少ない構造であるため、放射線管理区域に放射線計測装置を持ち込み使用した際に放射性物質が付着した場合でも、放射性物質を容易に除去することができる。
（６）本実施例の放射線計測装置は、計測部２と記憶部５と撮像部４が一体であり、放射線管理区域での放射線計測時の必要持参品を分割することなく持ち込むことができ、測定者の負荷を軽減することができる。また、放射線管理区域からの物品持ち出し時に実施する放射性物質付着有無の検査を短時間で実施することができる。
（７）本実施例の放射線計測装置は、使用時には一体である計測部２と記憶部５と撮像部４が分割できる構造となっており、各部毎に分割して故障時の修理や保守点検や計器校正を実施することができる。
【実施例２】
【００３６】
実施例２では、実施例１の放射線計測装置１による線量率測定履歴と線量率測定履歴グラフの表示機能について説明する。図５の表示部６における表示は、履歴情報としての表示を行った事例を示している。
【００３７】
図５の表示例では、測定場所の情報が測定場所表示枠１０に表示され、測定期間が測定期間表示枠に表示されている。履歴表示枠としては、表形式での数値表示枠である測定履歴表表示枠２０や、グラフ形式での数値表示枠である測定履歴グラフ表示枠２１が利用可能である。
【００３８】
図５の表示例は、線量率の測定履歴と測定履歴グラフを表示した表示部である。過去に計測した線量率の推移を確認する場合、表示したい原子力発電所の号機や建屋や階を表示部で選択し、その後、表示したい線量率の測定期間を表示すると、測定履歴と測定履歴グラフが表示される。
【００３９】
本実施例の放射線計測装置によれば、前述した（１）乃至（７）の効果を得ることができ、さらに、以下に示す効果を得ることができる。
（８）本実施例の放射線計測装置は、過去の測定履歴を確認することで将来の線量率の推移を推測することができ、以後の作業において作業員が受ける被ばく線量の予測を行うことができる。
（９）本実施例の放射線計測装置は、過去の測定履歴を確認することで将来の線量率の推移を推測することができ、作業員が受ける被ばく線量の低減対策の計画を効果的に行うことができる。
【実施例３】
【００４０】
本発明の実施例３では、図６に示すように放射線計測装置１Ａは、実施例１の放射線計測装置１（図１）と同様の構成を備える。さらに、放射線計測装置１Ａは、放射線計測装置１に加え、ＧＰＳ（Ｇｌｏｂａｌ  Ｐｏｓｉｔｉｏｎｉｎｇ  Ｓｙｓｔｅｍ）８を備える。ＧＰＳ機能を利用することにより、図６に示す放射線の計測方法の流れのうち、測位位置の決定（処理ステップＳ３）を必要としなくなり、自動で測定位置を記録することができる。
なお図２のＧＰＳ機能８を備える場合には、図２の外観図においては外部にＧＰＳ機能８のアンテナ部分を備えることになる。
【００４１】
本実施例の放射線計測装置によれば、前述した（１）乃至（９）の効果を得ることができ、さらに、以下に示す効果を得ることができる。
（１０）本実施例の放射線計測装置は、送受信部の構成を備えており、ＧＰＳからの位置情報を受信することができるため、測定者が測定位置を入力する必要なく測定位置が記録できる。
（１１）本実施例の放射線計測装置は、送受信部の構成を備えるため、ＧＰＳからの位置情報を受信し、測定位置を正確に記録することができる。
（１２）本実施例の放射線計測装置は、送受信部の構成を備えており、ＧＰＳからの位置情報を受信することができるため、測定者の移動経路を記録できる。
【実施例４】
【００４２】
実施例４では、実施例１の放射線計測装置１（図１）とコンピュータ２５（放射線管理装置）を有線または無線で接続した放射線管理システム１００について、図７を用いて説明する。
【００４３】
図７に示す放射線監視システム１００は、放射線管理区域２７内で使用される設備と、中央の事務所２２内に設置され、使用される設備で構成されている。また放射線管理区域２７内で使用される設備と、中央の事務所２２内に設置され、使用される設備との間には、適宜インターネット２４を介した情報交換が可能とされている。
【００４４】
この図によれば、放射線計測装置１は作業員の移動と共に、事務所２２と放射線管理区域２７において使用可能である。放射線管理区域２７においては、前述した計測記憶作業の結果などが事務所２２に持ち帰ることなく、例えば放射線管理区域で放射線を計測した後すぐ、放射線計測装置１の無線通信機能によりインターネット２４経由で事務所２２内のコンピュータ２５に送られ記録を保存する。あるいはコンピュータ２５からの指令などが放射線計測装置１側に送られ、放射線管理区域２７における計測作業に反映される。
【００４５】
他方、作業員は放射線管理区域２７で放射線を計測した放射線測定装置１を事務所２２に持ち帰り、その後有線通信２３、あるいはメモリ（ＳＤ、ＵＳＢメモリなど）の移転などにより、あるいは無線通信２８によりインターネット２４を介してコンピュータ２５に記録を保存することができる。保存された記録は、予めコンピュータ２５に記憶されている記録様式に転記され、コンピュータ２５と接続されているプリンタ２６によって出力される。
【００４６】
本実施例の放射線計測装置によれば、前述した（１）乃至（１２）の効果を得ることができ、さらに、以下に示す効果を得ることができる。
（１３）本実施例の放射線管理システム１００によれば、放射線測定装置１に記憶された放射線量や撮像図を手作業によりコンピュータ２５に入力することなく、正確にコンピュータ２５に保存することができる。
（１４）本実施例の放射線管理システム１００は、無線通信を用いることで、管理区域で計測した放射線量や撮像図を即時にコンピュータ２５で確認することができる。
【００４７】
なお、本実施例では、実施例１の放射線計測装置１を用いた放射線監視システムについて説明したが、この放射線計測装置１の替わりに、実施例３の放射線計測装置１Ａを用いた放射線監視システム１００Ａであっても良い。このような放射線監視システム１００Ａの場合、前述した（１）乃至（１４）の効果を得ることができる。
【００４８】
図８は、上記説明の本発明に係る放射線計測装置１の機能の概略をまとめたものである。図８によれば、本発明に係る放射線計測装置１は、計測部（線量計）２と記憶部（メモリ）５と送受信部７と表示部６を備える。特にメモリ５には、監視対象設備の機器配置などの図面と、計測した線量（線量率）と、計測した位置、場所と、時刻を保持している。かつこれらは相互に関連付けて紐づけされた情報として一体に保持されている。なお時刻を保有するということは、履歴情報としても把握可能であることを意味している。
【００４９】
通信は送受信が可能である。このことは、メモリ５内に上記の情報を全て保有する必要が必ずしもないことを意味しており、コンピュータ２５側に情報を保有して、作成した画像情報のみを送受信するというシステム構成を採用可能であって、本発明は係る変形実施例をも含んでいる。
【００５０】
本発明による表示では、計測した線量（線量率）と、計測した位置、場所が、設備図面上に同時に対応付けて表示されることになる。図３の例でいうと、設備図面１１上に計測した場所１２と、そこで計測した線量率１３が対応付けて一体のものとして表示されている。またこの対応関係は、インターネットを経由して他の作業員の携帯端末である放射線計測装置１にも送ることが可能であり、適宜他の作業者との間で情報の共有が可能である。各人が各場所で計測した結果が１画面上に統合的に表示され、あるいは逐次更新がされ、その場所に近づいたときにアラームなどで表示確認を促されるなどといった応用も可能である。
【符号の説明】
【００５１】
１：放射線計測装置
１Ａ：放射線計測装置
２：計測部
３：入力部
４：撮像部
５：記憶部
６：表示部
７：送受信部
８：ＧＰＳ
９：現在時刻表示枠
１０：測定場所表示枠
１１：図面表示枠
１２：測定位置表示枠
１３：線量率表示枠
１４：測定値記録ボタン表示枠
１５：測定区分表示枠
１６：位置決めボタン表示枠
１７：撮像図表示枠
１８：撮影ボタン表示枠
１９：測定期間表示枠
２０：測定履歴表表示枠
２１：測定履歴グラフ表示枠
２２：事務所
２３：有線通信
２４：インターネット
２５：コンピュータ
２６：プリンタ
２７：放射線管理区域
２８：無線通信
１００：放射線管理システム、
【図１】
0006486772.tif 000002
【図２】
0006486772.tif 000003
【図３】
0006486772.tif 000004
【図４】
0006486772.tif 000005
【図５】
0006486772.tif 000006
【図６】
0006486772.tif 000007
【図７】
0006486772.tif 000008
【図８】
0006486772.tif 000009